(57)【要約】【課題】ディスク状記録媒体の交換時の操作性を向上させる上で有利な撮像装置を提供する。【解決手段】開閉蓋２６０４は下端のヒンジ２６５０を支点としてその上端がケース１２の外側方に揺動可能に設けられている。グリップベルト２８は、開閉蓋２６０４の外側方で前後方向に延在するベルト本体２８０２と、ベルト本体２８０２の中間箇所を覆う甲当てパッド２８０４とを有している。ベルト本体２８０２の前端２８１０は開閉蓋２６０４の下部前端に取着され、グリップベルト２８の後端２８２０はケース１２の下部後端に取着されている。【選択図】図２
2007150821.tif 000002
【特許請求の範囲】
【請求項１】
外装を構成するケースと、
前記ケースの内部に該ケースの前面に臨むように設けられた撮影光学系と、
前記ケースの内部に組み込まれ前記撮影光学系によって導かれた被写体像を撮像する撮像素子と、
前記撮像素子で撮像された画像データをディスク状記録媒体に記録させる記録部と、
前記ケースの右側部に設けられ前記ディスク状記録媒体が装脱可能に装着される装着部と、
前記ケースの右側部に設けられ前記装着部を開閉する開閉蓋と、
前記開閉蓋の外側方で前後方向に延在し前記開閉蓋の外面との間に右手のひらが挿入されるように設けられたグリップベルトとを備える撮像装置であって、
前記開閉蓋は下端を支点としてその上端が前記ケースの外側方に揺動可能に設けられ、
前記グリップベルトの前後方向の一端は前記ケースの前後方向の端部に取着され、他端は前記ケースの前後方向の端部とは前後方向において反対の方向に位置する前記開閉蓋の前後方向の端部に取着されている、
ことを特徴とする撮像装置。
【請求項２】
前記グリップベルトの前端は前記開閉蓋の前端に取着され、前記グリップベルトの後端は前記ケースの後端に取着されていることを特徴とする請求項１記載の撮像装置。
【請求項３】
前記グリップベルトの前端は前記開閉蓋の下部前端に取着され、前記グリップベルトの後端は前記ケースの下部後端に取着されていることを特徴とする請求項１記載の撮像装置。
【請求項４】
前記ケースは後方を向いた後面を有し、前記グリップベルトの前端は、前記開閉蓋の下部前端に位置し前方を向いた壁部に取着され、前記グリップベルトの後端は前記ケースの後面下部に取着され、前記グリップベルトの前端が取着された前記開閉蓋の壁部は、前記ケースの前面の上下方向の中央部よりも後方に変位していることを特徴とする請求項１記載の撮像装置。
【請求項５】
前記ケースは後方を向いた後面を有し、前記グリップベルトの前端は前記開閉蓋の前端に取着され、前記グリップベルトの後端は前記ケースの後面下部の内部に取着され、前記グリップベルトの前記後端寄り部分は前記後面から後方に突出していることを特徴とする請求項１記載の撮像装置。
【請求項６】
外装を構成するケースと、
前記ケースの内部に該ケースの前面に臨むように設けられた撮影光学系と、
前記ケースの内部に組み込まれ前記撮影光学系によって導かれた被写体像を撮像する撮像素子と、
前記撮像素子で撮像された画像データをディスク状記録媒体に記録させる記録部と、
前記ケースの右側部に設けられ前記ディスク状記録媒体が装脱可能に装着される装着部と、
前記ケースの右側部に設けられ前記装着部を開閉する開閉蓋と、
前記開閉蓋の外側方で前後方向に延在し前記開閉蓋の外面との間に右手のひらが挿入されるように設けられたグリップベルトとを備える撮像装置であって、
前記開閉蓋は後端を支点としてその前端が前記ケースの外側方に揺動可能に設けられ、
前記グリップベルトの前端は前記開閉蓋の前端に取着され、前記グリップベルトの後端は前記ケースの後端に取着されている、
ことを特徴とする撮像装置。
【請求項７】
前記ケースは、左右方向の幅よりも大きな寸法の前後方向の長さおよび上下方向の高さを有していることを特徴とする請求項１または６記載の撮像装置。
【発明の詳細な説明】
【技術分野】
【０００１】
本発明は撮像装置に関する。
【背景技術】
【０００２】
近年、画像データや音声データを記録する記録媒体として光ディスクなどのディスク状記録媒体を用いるビデオカメラなどの撮像装置が提供されている。
このような撮像装置として、外装を構成するケースの内部に、撮影光学系と、その撮影光学系によって導かれた被写体像を撮像する撮像素子と、撮像素子で撮像された画像データをディスク状記録媒体に記録させる記録部とが組み込まれ、ケースの右側部にディスク状記録媒体が装脱可能に装着される装着部を設け、その装着部を開閉蓋によって開閉するようにしたものが提供されている。
そして、開閉蓋の構造として、開閉蓋の下部を、前後方向に延在する軸線回りに揺動可能にケースの右側部下部に連結したもの（特許文献１参照）、あるいは、開閉蓋の後部を、上下方向に延在する軸線回りに揺動可能にケースの右側部後部に連結したもの（特許文献２参照）が提案されている。
何れの撮像装置においても、撮像装置を右手で安定して掴むことができるように、開閉蓋の外側方で前後方向に延在し開閉蓋の外面との間に右手のひらが挿入されるようにグリップベルトが設けられている。
そして、何れの撮像装置においても、グリップベルトの両端は、ケースの右側部の前端と後端とにそれぞれ連結されている。
【特許文献１】特開２００５−６３５５９号公報
【特許文献２】特開２００５−１８４６６８号公報
【発明の開示】
【発明が解決しようとする課題】
【０００３】
上述した何れの撮像装置においても、開閉蓋の外面に臨む箇所にグリップベルトの中間部が位置しているので、開閉蓋を開放しようとすると、開閉蓋がグリップベルトの中間部に当接してそれ以上開放方向に揺動できず、開閉蓋を完全に開放できない現象が生じる。
そのため、開閉蓋を開放する際には、ユーザーは、予め撮像装置を机の上などに載置しておき、一方の手を用いてグリップベルトの中間部を開閉蓋の移動軌跡から外れた位置まで動かしてその状態を保持しつつ、他方の手を用いて開閉蓋の開放操作をする必要がある。
そのため、撮像装置を机の上などに載置せず、一方の手で撮像装置を保持したままで、他方の手でディスク状記録媒体の交換を行うことは無理であった。
したがって、従来は、ディスク状記録媒体の交換操作が繁雑で手間がかかるものとなっており、チャンスを逃さず撮影を行う上で不利があった。
本発明はこのような事情に鑑みなされたものであり、その目的は、ディスク状記録媒体の交換時の操作性を向上させる上で有利な撮像装置を提供することにある。
【課題を解決するための手段】
【０００４】
上述の目的を達成するため、本発明は、外装を構成するケースと、前記ケースの内部に該ケースの前面に臨むように設けられた撮影光学系と、前記ケースの内部に組み込まれ前記撮影光学系によって導かれた被写体像を撮像する撮像素子と、前記撮像素子で撮像された画像データをディスク状記録媒体に記録させる記録部と、前記ケースの右側部に設けられ前記ディスク状記録媒体が装脱可能に装着される装着部と、前記ケースの右側部に設けられ前記装着部を開閉する開閉蓋と、前記開閉蓋の外側方で前後方向に延在し前記開閉蓋の外面との間に右手のひらが挿入されるように設けられたグリップベルトとを備える撮像装置であって、前記開閉蓋は下端を支点としてその上端が前記ケースの外側方に揺動可能に設けられ、前記グリップベルトの前後方向の一端は前記ケースの前後方向の端部に取着され、他端は前記ケースの前後方向の端部とは前後方向において反対の方向に位置する前記開閉蓋の前後方向の端部に取着されていることを特徴とする。
また、本発明は、外装を構成するケースと、前記ケースの内部に該ケースの前面に臨むように設けられた撮影光学系と、前記ケースの内部に組み込まれ前記撮影光学系によって導かれた被写体像を撮像する撮像素子と、前記撮像素子で撮像された画像データをディスク状記録媒体に記録させる記録部と、前記ケースの右側部に設けられ前記ディスク状記録媒体が装脱可能に装着される装着部と、前記ケースの右側部に設けられ前記装着部を開閉する開閉蓋と、前記開閉蓋の外側方で前後方向に延在し前記開閉蓋の外面との間に右手のひらが挿入されるように設けられたグリップベルトとを備える撮像装置であって、前記開閉蓋は後端を支点としてその前端が前記ケースの外側方に揺動可能に設けられ、前記グリップベルトの前端は前記開閉蓋の前端に取着され、前記グリップベルトの後端は前記ケースの後端に取着されていることを特徴とする。
【発明の効果】
【０００５】
そのため、本発明によれば、開閉蓋を開放した場合、あるいは、閉塞した場合の何れの場合にも、グリップベルトの前端または後端は開閉蓋と共に移動する。
したがって、グリップベルトが開閉蓋の開閉動作を妨げることがないため、ディスク状記録媒体の装着部への交換操作を容易かつ円滑に行うことができ操作性を向上させる上で有利となる。
また、グリップベルトと開閉蓋の外面との間に右手を挿入したままであっても開閉蓋の開閉動作を行え、したがって、左手でディスク状記録媒体の交換を行うことが可能となり、ディスク状記録媒体の交換操作が簡単かつ迅速に行え、チャンスを逃さず撮影を行う上で有利となる。
【発明を実施するための最良の形態】
【０００６】
（第１の実施の形態）
次に本発明の実施の形態について図面を参照して説明する。
図１乃至図６は第１の実施の形態の撮像装置１０の構成を示す斜視図、図９は撮像装置１０の制御系の構成を示すブロック図である。
図１乃至図６に示すように、本実施の形態の撮像装置１０はビデオカメラである。
撮像装置１０は、外装を構成し左右方向の幅よりも大きな寸法の前後方向の長さおよび上下方向の高さを有するケース１２を有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前面から前方に臨んで設けられている。撮影光学系１４はズームレンズを有し、ズーム率が連続的に可変できるように構成されている。
ケース１２の内部には、撮影光学系１４によって導かれた被写体像を撮像する撮像素子１８（図９参照）などが収容されている。
図４に示すように、ケース１２の上部の後部には撮像素子１８によって撮像された被写体像を視認するためのビューファインダー（電子式ファインダー）２０が後面から後方に臨んで設けられている。ビューファインダー２０は、ケース１２内部に設けられた例えば液晶表示装置からなるディスプレイパネル２２（図９参照）を有し、そのディスプレイパネル２２に表示される画像を視認するように構成されている。
図１、図６に示すように、ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２（図９参照）が設けられている。
【０００７】
図３、図４に示すように、ケース１２の右側部には、画像データや音声データを記録するディスク状記録媒体２（図９参照）が装脱可能に装着される装着部２６が設けられている。
図３に示すように、装着部２６は、ディスク状記録媒体２を収容する収容空間２６０２と、ターンテーブル２６０６と、記録再生機構６０と、この収容空間２６０２を閉塞する開閉蓋２６０４とを有し、開閉蓋２６０４によってケース１２の右側面が形成されている。
開閉蓋２６０４は下端のヒンジ２６５０（図５参照）を支点としてその上端がケース１２の外側方に揺動可能に設けられており、開閉蓋２６０４は、図２に示す閉塞位置と図３に示す開放位置とにわたって開閉され、開放位置においてディスク状記録媒体２の装脱がなされる。
また、開閉蓋２６０４は、不図示のロック機構により前記閉塞位置でロックされ、前記ロック機構が解除されることで前記閉塞位置から開放位置への揺動が許容されるように構成されている。
前記ロック機構は、例えば、開閉蓋２６０４と、開閉蓋２６０４が臨むケース１２の箇所との何れか一方に設けられたロック爪と、他方に設けられ前記ロック爪と係合する係合位置と、前記ロック爪との係合が解除される係合解除位置とにわたって移動可能に設けられた係合部とで構成され、前記係合部がモータなどのアクチュエータによって移動されることにより、開閉蓋２６０４のロックと、ロック解除が行われるように構成されている。
なお、このようなロック機構としては、従来公知の様々な構造が採用可能である。
また、前記アクチュエータによる係合部の移動は、コントローラ５８によって制御される。これは、ディスク状記録媒体２に対する記録動作中に開閉蓋２６０４が不用意に開放されて記録動作が途中で停止しデータが破損してしまうことを防止するためである。
【０００８】
ターンテーブル２６０６は収容空間２６０２の底壁に設けられ、不図示のスピンドルモータで回転され、ディスク状記録媒体２の中心孔がターンテーブル２６０６に係合保持されることでディスク状記録媒体２がターンテーブル２６０６と一体的に回転駆動されるように構成されている。
また、図２乃至図５に示すように、ケース１２の右側面には、前後方向に延在するグリップベルト２８が設けられており、グリップベルト２８は、開閉蓋２６０４の外側方で前後方向に延在し開閉蓋２６０４の外面との間に右手のひらが挿入されるように設けられている。
また、図４に示すように、ケース１２の上面後部には、ビデオライトやフラッシュライトなどのアクセサリーを着脱可能に装着するホットシュー３０が設けられている。
また、図１に示すように、ケース１２の前面下部には、音声を収音するためのマイクロフォン４６（図９参照）が設けられている。
【０００９】
図１乃至図４、図６に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０などが設けられている。
電源用操作部材３２、静止画撮影用操作部材３４、ズーム用操作部材３６、モード切り換え用操作部材３８は、ケース１２の上面に設けられている。
動画撮影用操作部材４０は、ケース１２の後面の上下方向の中間で右側面寄りの箇所に設けられている。
電源用操作部材３２は、撮像装置１０の電源のオン、オフを行うためのものである。
静止画撮影用操作部材３４は、撮像素子１８による静止画の撮影を行うためのものである。
ズーム用操作部材３６は、撮影光学系１４のズーム率を変化させるためのものである。
モード切り換え用操作部材３８は、静止画撮影モードと動画撮影モードとを切り換えるためのものである。
動画撮影用操作部材４０は、動画撮影のスタートとストップを行うためのものである。
【００１０】
図９に示すように、撮像装置１０には、映像信号用増幅回路４２、画像データ処理部４４、マイクロフォン４６、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用スロット６６、ズーム駆動部６８などが設けられている。
また、撮像装置１０には、電源スイッチ７０、静止画撮影用スイッチ７２、ズーム用スイッチ７４、モード切り換え用スイッチ７６、動画撮影用スイッチ７８が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６で収音された音声信号はマイクロフォン用増幅回路４８で増幅され、音声データ処理回路５０によって所定の信号処理がなされ音声データとして記録再生回路５６に供給される。
【００１１】
記録再生回路５６は、画像データ処理部４４から供給された動画データおよび静止画データや音声データ処理回路５０から供給された音声データをコントロール回路５８の制御にしたがって装着部２６の記録再生機構６０に供給する。
記録再生機構６０は動画データおよび静止画データや音声データを記録媒体としてのディスク状記録媒体２に記録するものであり、特許請求の範囲の記録部を構成している。記録再生機構６０は、例えば、従来公知の光ピックアップによってディスク状記録媒体２の記録層に光ビームを照射することでデータの記録を行い、また、光ピックアップによってディスク状記録媒体２の記録層に照射した光ビームの反射光ビームを検出することでデータの再生を行うものである。
なお、本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介してメモリスロット５４に装着された記録媒体としてのメモリカード４に記録する。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された動画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１２】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいはその動作を停止させる。言い換えると、動画撮影用操作部材４０は、いわゆる撮影スタート／ストップの操作部材として機能している。
【００１３】
本実施の形態では、図４に示すように、ケース１２の前面を前方に向け、右手の手のひらと、親指を除く右手の指でケース１２の右側部を掴んだ状態で、ケース１２の上面の後部の右側部で右手の人差し指で操作できる範囲の箇所に、撮影にまつわる互いに異なった機能を実行するための３つの操作部材である電源用操作部材３２と、静止画撮影用操作部材３４と、ズーム用操作部材３６が前後方向に直線状に並べられて配置されている。
本実施の形態では、図４に示すように、ケース１２の右側面に前後方向に延在するグリップベルト２８が設けられており、ケース１２を右手のひらと、親指を除く右手の指でケース１２の右側部を掴む際に、親指を除く右手の指は、ケース１２の右側面とグリップベルト２８との間に挿通される。
また、本実施の形態では、図４、図６に示すように、電源用操作部材３２と静止画撮影用操作部材３４とズーム用操作部材３６は、装着部２６の後方かつ上方箇所に位置している。
また、本実施の形態では、図４、図６に示すように、電源用操作部材３２と静止画撮影用操作部材３４とズーム用操作部材３６とが配置された箇所の左側方にビューファインダー２０がケース１２の後面に臨むように位置している。
また、本実施の形態では、図４、図６に示すように、電源用操作部材３２と静止画撮影用操作部材３４とズーム用操作部材３６のうち、電源用操作部材３２は最も後方の箇所に配置され、ズーム用操作部材３６は最も前方の箇所に配置されている。
【００１４】
図４に示すように、静止画撮影用操作部材３４は押圧用のボタンで構成され、静止画撮影用操作部材３４を押圧操作することで、静止画データがディスク状記録媒体２またはメモリカード４に記録される。
ズーム用操作部材３６は揺動レバーで構成され、前後方向を通る仮想軸の周りに揺動可能に設けられ、常時中立位置に付勢され、ケース１２の幅方向の中心方向に揺動させることでズーム率が減少されるように（広角側にされるように）、外側方に揺動させることでズーム率が増加されるように（望遠側にされるように）構成されている。
本実施の形態では、ズーム用操作部材３６の前後に左右方向に延在する仕切り壁１２１０がそれぞれ設けられ、ズーム用操作部材３６をより確実に操作できるようにしている。
【００１５】
電源用操作部材３２とモード切り換え用操作部材３８は、前後方向を通る仮想軸の周りに揺動可能に設けられた円盤状の単一の揺動部材８０で構成されている。
揺動部材８０の後端面は、前後方向においてケース１２の後端面とほぼ同じ位置に位置しケース１２の後方に露出している。
揺動部材８０を第１の揺動位置と第２の揺動位置との間で揺動操作することで電源のオン、オフがなされ、詳細には第１の揺動位置で電源がオフされ、第２の揺動位置で電源がオンされる。
また、揺動部材８０を第２の揺動位置と、第２の揺動位置を挟んで第１の揺動位置と反対に位置する第３の揺動位置との間で揺動操作する毎に静止画撮影モードと動画撮影モードとに交互に切り換えられ、揺動部材８０は第２の揺動位置に位置するように常時付勢されている。
本実施の形態では、図６に示すように、揺動部材８０の外周部に凹部８００２が設けられ、この凹部８００２の底面にロックボタン８００４が押圧操作可能に設けられている。そして、揺動部材８０が第１の揺動位置に位置した状態でロックボタン８００４を押すことで第１の揺動位置から第２の揺動位置に揺動できるように構成されている。
【００１６】
本実施の形態では、図４に示すように、動画撮影用操作部材４０は、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられている。
動画撮影用操作部材４０は、押圧用のボタンで構成され、動画撮影用操作部材４０を押圧操作する毎に、動画データのディスク状記録媒体２またはメモリカード４への記録のスタートとストップがなされる。
【００１７】
上述のように、電源用操作部材３２と、静止画撮影用操作部材３４と、ズーム用操作部材３６とを配置すると、次のような利点を有することになる。
ケース１２の前面を前方に向け、右手の手のひらと、親指を除く右手の指でケース１２の右側部を掴んだ状態で、ケース１２の上面の後部の右側部で右手の人差し指で操作できる範囲の箇所に、電源用操作部材３２と、静止画撮影用操作部材３４と、ズーム用操作部材３６が前後方向に直線状に並べられて配置されているので、ケース１２を掴んだ状態で、これら３つの操作部材の全てを右手の人差し指で円滑にかつ容易に操作することができ、操作性の向上を図る上で有利となる。
例えば、静止画を撮影する場合には、右手でケース１２を掴んだ状態で、右手の人差し指で電源用操作部材３２（揺動部材８０）を操作して電源をオンとしたのち、人差し指を前方に僅かに移動させるだけで静止画撮影用操作部材３４あるいはズーム用操作部材３６を操作することができ、撮影チャンスを逃すことなく撮影を行う上で有利となる。
また、電源用操作部材３２は円筒状の操作部を有し、静止画撮影用操作部材３４は細幅な押しボタン状の操作部を有し、ズーム用操作部材３６は円弧面状の操作部を有しており、したがって、互いに異なった形状の電源用操作部材３２、静止画撮影用操作部材３４、ズーム用操作部材３６の３つの操作部材が前後方向に直線状に並べられて配置されていることから、これらの操作部材を人差し指の触覚だけで識別して操作することは容易であり、ビューファインダー２０の使用時にいちいち各操作部材を視認して確認する必要がなく有利となる。
また、ケース１２の後面にそれら操作部材を設ける場合に比較してケース１２の後面のスペースを縮小することができるので、ケース１２の小型化を図る上で有利となる。
また、ケース１２が左右方向の幅よりも大きな寸法の前後方向の長さを有していることから、電源用操作部材３２、静止画撮影用操作部材３４、ズーム用操作部材３６の３つの操作部材を前後方向に直線状に並べられて配置することによって、ケース１２の上面のスペースを有効利用できるので、ケース１２の小型化を図る上で有利となる。
【００１８】
また、電源用操作部材３２とモード切り換え用操作部材３８とが単一の揺動部材８０で構成されているので、電源オンから撮影開始に要する操作を手早く行うことができる。
すなわち、撮像装置１０の電源がオフされた状態から静止画または動画を撮影しようとする場合には、まず、撮像装置１０の右側部を右手で把持し、その状態で人差し指で揺動部材８０を第１の揺動位置から第２の揺動位置に揺動させて電源をオンしたのち、人差し指を揺動部材８０から離すことなく、人差し指で揺動部材８０を第２の揺動位置から第３の揺動位置に揺動させる毎に静止画撮影モード、あるいは、動画撮影モードに交互に切り換えることができる。したがって、最小限の操作で撮影準備を行うことが可能となり、撮影チャンスを逃すことなく撮影を行う上で有利となる。
また、動画撮影用操作部材４０は、ケース１２の前面を前方に向け、右手の手のひらと、親指を除く右手の指でケースの右側部を掴んだ状態で、右手の親指で操作できる範囲内で電源用操作部材３２の下方のケース１２の箇所に設けられているので、ケース１２を把持した右手の人差し指で、電源用操作部材３２、静止画撮影用操作部材３４、ズーム用操作部材３６の何れかを操作すると同時に、ケース１２を把持した右手の親指で動画撮影用操作部材４０を円滑にかつ容易に操作することができ、動画撮影時の操作性を向上させる上で有利となる。
【００１９】
次に、グリップベルト２８について詳細に説明する。
図７はグリップベルト２８とケース１２との取着部分の斜視図、図８はグリップベルト２８と開閉蓋２６０４との取着部分の斜視図である。
図２乃至図５に示すように、グリップベルト２８は、開閉蓋２６０４の外側方で前後方向に延在するベルト本体２８０２と、ベルト本体２８０２の中間箇所を覆う甲当てパッド２８０４とを有している。
ベルト本体２８０２は可撓可能であり、例えば、合成樹脂製の繊維が帯状に編まれて形成されている。
甲当てパッド２８０４は、例えば、布や合成皮革などの柔軟性を有する材料で形成され、手の甲に当たるようにベルト本体２８０２よりも大きな寸法の幅で形成されている。
ベルト本体２８０２の中間箇所に甲当てパッド２８０４が設けられることで、ベルト本体２８０２と開閉蓋２６０４の外面との間に右手のひらが挿入された際に、甲当てパッド２８０４の部分が右手の甲に当接し、右手のひらと、ケース１２の右側部および開閉蓋２６０４の外面とのフィット感が確保されるように構成されている。
【００２０】
図２、図３、図４に示すように、グリップベルト２８の前後方向の一端はケース１２の前後方向の端部に取着され、他端はケース１２の前後方向の端部とは前後方向において反対の方向に位置する開閉蓋２６０４の前後方向の端部に取着されている。
本実施の形態では、図１、図２、図７に示すように、ベルト本体２８０２の前端２８１０は開閉蓋２６０４の下部前端に取着されている。
すなわち、開閉蓋２６０４の下部前端に位置する前方を向いた壁部２６１０には、ベルト本体２８０２の前端２８１０を挿通可能な開口２６１２が形成され、開口２６１２の内部に挿入されたベルト本体２８０２の前端２８１０の孔２８１２に開閉蓋２６０４の内面から突設された係合突起２６１４が係合することで、ベルト本体２８０２の前端２８１０が開閉蓋２６０４の下部前端に取着されている。
なお、本実施の形態では、図１、図７に示すように、上記の壁部２６１０が位置する開閉蓋２６０４の下部前端は、前後方向においてケース１２の前面の上下方向中央部よりも後方に変位した箇所に設けられている。
【００２１】
また、図４、図５、図８に示すように、グリップベルト２８の後端２８２０はケース１２の下部後端に取着されている。
すなわち、ケース１２は後方を向いた後面１２２０を有し、後面１２２０の下部で右側部寄りに位置する壁部２８２０にベルト本体２８０２の後端２８２０が挿通される開口１２２２が形成され、開口１２２２内に挿入されたベルト本体２８０２の後端２８２０が後面１２２０の内面に設けられた係合軸部１２２４に掛止されることで、ベルト本体２８０２の後端２８２０がケース１２の下部後端の内部に取着され、グリップベルト２８の後端２８２０寄り部分は開口１２２２を通り後面１２２０から後方に突出している。
なお、ベルト本体２８０２が開口２６１２、１２２２に近接する箇所にはそれぞれ金具２８３０が取着されており、それら金具２８３０の間でベルト本体２８０２の長さ調整が行われるように構成されている。
【００２２】
本実施の形態によれば、開閉蓋２６０４は下端のヒンジ２６５０（図５参照）を支点として揺動可能に設けられ、グリップベルト２８の前端２８１０は開閉蓋２６０４の前端に取着され、後端２８２０はケース１２の後端に取着されているので、開閉蓋２６０４を開放した場合、あるいは、閉塞した場合の何れの場合にも、グリップベルト２８の前端２８１０は開閉蓋２６０４の前端２８２０と共に移動する。
したがって、グリップベルト２８が開閉蓋２６０４の開閉動作を妨げることがないため、従来と異なって、グリップベルト２８を開閉蓋２６０４の移動軌跡から外す必要がなく、ディスク状記録媒体２の装着部２６への交換操作を容易かつ円滑に行うことができ操作性を向上させる上で有利となる。
特に、本実施の形態では、グリップベルト２８の前端２８１０は開閉蓋２６０４の下部前端に取着され、後端２８２０はケース１２の下部後端に取着されているので、操作性を向上させる上でより一層有利となる。
また、開閉蓋２６０４を開閉する際、グリップベルト２８の前端２８１０が開閉蓋２６０４の前端と共に移動することから、グリップベルト２８と開閉蓋２６０４の外面との間に右手を挿入したままであっても開閉蓋２６０４の開閉動作を行うことができる。
したがって、撮像装置１０を机の上などに載置せず、グリップベルト２８と開閉蓋２６０４の外面との間に右手を挿入して右手で撮像装置１０を保持したままで、左手でディスク状記録媒体２の交換を行うことが可能となり、ディスク状記録媒体２の交換操作が簡単かつ迅速に行え、チャンスを逃さず撮影を行う上で有利となる。
【００２３】
また、本実施の形態では、前後方向においてケース１２の前面の上下方向の中央部よりも後方に変位した箇所に設けられている開閉蓋２６０４の下部前端にグリップベルト２８の前端２８１０が取着されているため、開閉蓋２６０４の下部前端に金具２８３０が位置していても前後方向においてスペースを占有せず、撮像装置１０のコンパクト化を図る上で有利となる。
また、本実施の形態では、グリップベルト２８の前端２８１０が開閉蓋２６０４の支点に近い開閉蓋２６０４の下部前端に取着されているため、グリップベルト２８と開閉蓋２６０４の外面との間に右手を挿入した際に、グリップベルト２８の前端２８１０から開閉蓋２６０４に作用する力が前記支点に近い箇所に掛かり、したがって、開閉蓋２６０４を薄肉化し、撮像装置１０をコンパクト化する上で有利となる。
【００２４】
また、本実施の形態では、グリップベルト２８と開閉蓋２６０４の外面との間に挿入した右手の幅が大きく、右手の後方寄りの部分が後面１２２０よりも後方にはみ出すような場合であっても、グリップベルト２８の後端２８２０寄り部分が後面１２２０から後方に突出しているので、グリップベルト２８の後端２８２０寄り部分を、後面１２２０から後方にはみ出した右手部分に密着して延在させることができ、グリップベルト２８およびケース１２と右手のフィット感を確保する上で有利となる。すなわち、グリップベルト２８の後端２８２０がケース１２の後面１２２０ではなく、ケース１２の右側面の後部寄り箇所に取着されていてもよいが、その際には、右手の後方寄りの部分が後面１２２０よりも後方にはみ出すような場合に、グリップベルト２８の後端２８２０がいったん右側方に突出してから後方に屈曲されるため、グリップベルト２８およびケース１２と右手のフィット感を得る上で不利があるが、本実施の形態ではそのような不具合を解消できる点で有利となる。
【００２５】
なお、本実施の形態では、グリップベルト２８の前端２８１０が開閉蓋２６０４の前端に取着され、グリップベルト２８の後端２８２０がケース１２の後端に取着されている場合について説明したが、グリップベルト２８の前端２８１０がケース１２の前端に取着され、グリップベルト２８の後端２８２０が開閉蓋２６０４の後端に取着されていてもよいことは無論である。
また、本実施の形態では、グリップベルト２８の前端２８１０が開閉蓋２６０４の下部前端に取着され、グリップベルト２８の後端２８２０がケース１２の下部後端に取着されている場合について説明したが、グリップベルト２８の前端２８１０と後端２８２０の取着される位置は、ケース１２の形状や大きさに応じて適宜変更可能であることは無論である。
また、本実施の形態では、開閉蓋２６０４が下端を支点としてその上端がケース１２の外側方に揺動可能に設けられている場合について説明したが、開閉蓋２６０４が後端を支点としてその前端がケース１２の外側方に揺動可能に設けられている場合には、グリップベルト２８の前端２８１０を開閉蓋２６０４の前端に取着し、グリップベルト２８１０の後端２８２０をケース１２の後端に取着するようにすれば、前記実施の形態と同様な効果が奏される。
【図面の簡単な説明】
【００２６】
【図１】第１の実施の形態の撮像装置１０の構成を示す斜視図である。
【図２】第１の実施の形態の撮像装置１０の構成を示す斜視図である。
【図３】第１の実施の形態の撮像装置１０の構成を示す斜視図である。
【図４】第１の実施の形態の撮像装置１０の構成を示す斜視図である。
【図５】第１の実施の形態の撮像装置１０の構成を示す斜視図である。
【図６】第１の実施の形態の撮像装置１０の構成を示す斜視図である。
【図７】グリップベルト２８とケース１２との取着部分の斜視図である。
【図８】グリップベルト２８と開閉蓋２６０４との取着部分の斜視図である。
【図９】撮像装置１０の制御系の構成を示すブロック図である。
【符号の説明】
【００２７】
２……ディスク状記録媒体、１０……撮像装置、１２……ケース、１４……撮影光学系、１８……撮像素子、２６……装着部、２６０４……開閉蓋、２８……グリップベルト、６０……記録再生機構。
【図１】
2007150821.tif 000003
【図２】
2007150821.tif 000004
【図３】
2007150821.tif 000005
【図４】
2007150821.tif 000006
【図５】
2007150821.tif 000007
【図６】
2007150821.tif 000008
【図７】
2007150821.tif 000009
【図８】
2007150821.tif 000010
【図９】
2007150821.tif 000011